(57)【特許請求の範囲】
【請求項１】
撮像レンズを備えたカメラ本体に取り付けられるカバー本体、を有し、
前記カバー本体には、
交換される異種の前記撮像レンズの大きさに応じて、前記撮像レンズの光軸に沿う方向の前後に前記カバー本体をスライドさせるスライド機構部が設けられ、
前記スライド機構部は、
前記カメラ本体に設けられ前記スライド機構部に係合する係合部を介して、前記カバー本体をスライドさせる、
レンズカバー。
【請求項２】
撮像レンズを備えたカメラ本体に取り付けられるカバー本体、を有し、
前記カバー本体には、
交換される異種の前記撮像レンズの大きさに応じて、前記撮像レンズの光軸に沿う方向の前後に前記カバー本体をスライドさせるスライド機構部が設けられ、
前記カバー本体と前記カメラ本体とを連結し、前記スライド機構部に係合する係合部を含むアダプター、を更に有し、
前記スライド機構部は、
前記係合部を介して、前記カバー本体をスライドさせる、
レンズカバー。
【請求項３】
請求項１または２に記載のレンズカバーであって、
前記スライド機構部は、
前記カバー本体の後端から前端に向かって形成された所定形状の複数の突起であり、前記突起と前記係合部との係合によって、前記カバー本体を前記カメラ本体に対して段階的にスライドさせる、
レンズカバー。
【請求項４】
請求項２に記載のレンズカバーであって、
撮像対象に向けて照明光を出射する照明用光源、を更に有する、
レンズカバー。
【請求項５】
請求項４に記載のレンズカバーであって、
前記照明用光源を収容し、前記照明用光源を光学的に前記撮像レンズから隔離させる隔離部が前記カバー本体に並置される、
レンズカバー。
【請求項６】
請求項１〜５のうちいずれか一項に記載のレンズカバーであって、
前記カバー本体には、
前記カメラ本体からの離脱を規制する落下防止部材が係止される、
レンズカバー。
【請求項７】
請求項１〜６のうちいずれか一項に記載のレンズカバーであって、
前記カバー本体には、
前記カバー本体の内部への入射光を遮光する第１の遮光部材が、前記カバー本体のスライド方向と同一方向にスライド自在に並置される、
レンズカバー。
【請求項８】
撮像レンズを備えたカメラ本体に取り付けられるカバー本体、を有し、
前記カバー本体には、
交換される異種の前記撮像レンズの大きさに応じて、前記撮像レンズの光軸に沿う方向の前後に前記カバー本体をスライドさせるスライド機構部が設けられ、
前記カバー本体の内部への入射光を遮光する第１の遮光部材が、前記カバー本体のスライド方向と同一方向にスライド自在に並置される、
レンズカバー。
【請求項９】
請求項２に記載のレンズカバーであって、
前記アダプターには、
前記カバー本体の内部への入射光を遮光する第２の遮光部材が固定して設けられており、
前記レンズカバーをスライドさせても、隙間が生じないように、前記第２の遮光部材が前記レンズカバーの開口よりも大きい、
レンズカバー。
【請求項１０】
請求項１〜９のうちいずれか一項に記載のレンズカバーであって、
前記カバー本体には、
前記撮像レンズの保護ガラスと、前記撮像レンズへの入射光を遮光する第３の遮光部材とが並置される、
レンズカバー。
【請求項１１】
請求項６に記載のレンズカバーであって、
前記落下防止部材は、
可撓性を有し、前記カバー本体の内部に折り畳まれて収容される、
レンズカバー。
【請求項１２】
請求項１に記載のレンズカバーが、直接、前記カメラ本体に取り付けられた、
監視カメラ。
【請求項１３】
請求項２に記載のレンズカバーが、前記アダプターを介して、前記カメラ本体に取り付けられた、
監視カメラ。
【発明の詳細な説明】
【技術分野】
【０００１】
本発明は、撮像用のレンズを保護するレンズカバーと、レンズカバーが取り付けられた監視カメラに関する。
【背景技術】
【０００２】
監視カメラは、例えば防犯、防災、計測、記録等の目的で広く使用されており、監視カメラ本体から突出するように撮像用のレンズが備えられる。外部に露出する撮像レンズは、レンズカバーを用いて保護することができる（例えば特許文献１参照）。
【０００３】
また、監視カメラは、例えば、フォーカス、ズーム、画角等の調整や保守点検を行うために、定期的に撮像レンズを外部に露出させる必要がある。監視カメラは、高所に配置される場合が多く、撮像レンズを露出させるためにレンズカバーを取り外した場合、レンズカバーの置き場所を確保することが困難となることがある。そこで、特許文献１に示す監視カメラは、レンズカバーを取り外さなくても、撮像レンズを外部に大きく臨ませることができる。
【０００４】
即ち、図１６に示すように、監視カメラ５０１は、撮像レンズ５０３を覆うようにハウジング５０５に隣接して配置されるレンズカバー５０７を備える。レンズカバー５０７がハウジング５０５に対して予め設定された距離ほど離反した位置で、レンズカバー５０７からハウジング５０５側に向かって延出するカバー延出部５０９がハウジング５０５に対して係止される。
【０００５】
従って、監視カメラ５０１によれば、撮像レンズ５０３を外部に臨ませるように、レンズカバー５０７をハウジング５０５に対して予め設定された距離で離反させた際、係止手段５１１がハウジング５０５に対してカバー延出部５０９を係止する。このため、従来の監視カメラのようにレンズカバーを取り外すタイプと異なり、レンズカバー５０７の置き場所を確保する必要がなくなる。
【先行技術文献】
【特許文献】
【０００６】
【特許文献１】特開２０１１−２２７２７２号公報
【発明の概要】
【発明が解決しようとする課題】
【０００７】
しかし、特許文献１に示すレンズカバー５０７は、撮像レンズ５０３の大きさに合わない場合には、監視カメラ５０１の撮像により得られた画像にレンズカバー５０７の一部が映り込んだり、レンズが大きい場合には光の干渉が発生したりすることがある。この映り込みや干渉を回避するためには、撮像レンズ５０３の大きさに合わせて、異なる形状のレンズカバー５０７を取り付ける必要が生じる。このため、撮像レンズ５０３の種類に合わせて、数多くのレンズカバー５０７を用意する必要があり、部品点数の増加が懸念されるという課題があった。
【０００８】
本発明は、上述した従来の課題を解決するために、異なる大きさのレンズが使用された場合でも、撮像により得られた画像に対する映り込みや干渉を回避するレンズカバーと、このレンズカバーが取り付けられた監視カメラとを提供することを目的とする。
【課題を解決するための手段】
【０００９】
本発明は、撮像レンズを備えたカメラ本体に取り付けられるカバー本体、を有し、前記カバー本体には、交換される異種の前記撮像レンズの大きさに応じて、前記撮像レンズの光軸に沿う方向の前後に前記カバー本体をスライドさせるスライド機構部が設けられ、前記スライド機構部は、前記カメラ本体に設けられ前記スライド機構部に係合する係合部を介して、前記カバー本体をスライドさせる、レンズカバーである。
【００１０】
また、本発明は、レンズカバーが、直接又はアダプターを介して、前記カメラ本体に取り付けられた、監視カメラである。
【発明の効果】
【００１１】
本発明に係るレンズカバーによれば、異なる大きさの撮像レンズが使用された場合でも、撮像により得られた画像に対する映り込みや干渉を回避することができる。
【００１２】
本発明に係る監視カメラによれば、異なる形状のレンズカバーを付属品として用意する必要がなく、異なる大きさの撮像レンズが使用された場合でも、撮像により得られた画像に対する映り込みや干渉を回避することができる。
【図面の簡単な説明】
【００１３】
【図１】第１の実施形態の監視カメラの斜視図
【図２】図１に示す監視カメラの分解斜視図
【図３】図１に示す監視カメラのレンズカバー取付前の分解斜視図
【図４】図２に示すカメラ本体を同図の下方より見た斜視図
【図５】（Ａ）レンズカバーの上側のノッチを示した斜視図、（Ｂ）レンズカバーの下側のノッチを示した斜視図
【図６】図１に示すカメラ本体を後方側から見た背面図
【図７】遮光部材が装着された図１に示すレンズカバーの斜視図
【図８】（Ａ）レンズカバーが突出した時の監視カメラの縦断面図、（Ｂ）レンズカバーが押し込まれたときの監視カメラの縦断面図
【図９】第２の実施形態の監視カメラの分解斜視図
【図１０】アダプターと落下防止部材の分解斜視図
【図１１】レンズケーブルを接続する前の監視カメラの分解斜視図
【図１２】レンズカバー取付前の分解斜視図
【図１３】（Ａ）レンズカバーが突出した時の監視カメラの要部縦断面図、（Ｂ）レンズカバーが押し込まれたときの監視カメラの要部縦断面図
【図１４】（Ａ）単純円筒のスライド構造を有する変形例のレンズカバーの斜視図、（Ｂ）ねじ構造を有する変形例のレンズカバーの斜視図、（Ｃ）スライド孔構造を有する変形例のレンズカバーの斜視図、（Ｄ）ピンガイド構造を有するレンズカバーの斜視図
【図１５】（Ａ）Ｖ形パンタグラフ構造を有する変形例のレンズカバーの斜視図、（Ｂ）Ｘ形パンタグラフ構造を有する変形例のレンズカバーの斜視図、（Ｃ）カムフォロア構造を有する変形例のレンズカバーの斜視図
【図１６】従来のレンズカバーを備えた監視カメラの分解斜視図
【発明を実施するための形態】
【００１４】
以下、本発明に係るレンズカバー及び監視カメラの各実施形態について、図面を参照して説明する。第１の実施形態では、レンズカバー１３とカメラ本体１５との間において、後述するアダプター７５の取り付けが不要となるタイプの監視カメラ１１について説明し、第２の実施形態では、レンズカバー７７とカメラ本体１５との間において、後述するアダプター７５の取り付けが必要となるタイプの監視カメラ７３について説明する。
【００１５】
（第１の実施形態）
図１は、第１の実施形態の監視カメラ１１の斜視図である。図１に示す監視カメラ１１は、レンズカバー１３を備える。レンズカバー１３は、カメラ本体１５に取り付けられて、外部に露出する撮像レンズ１７（図２に参照）を保護する。監視カメラ１１は、例えば、フォーカス、ズーム、画角等の調整や保守点検を行うために、定期的に撮像レンズ１７を外部に露出させる必要がある。また、撮像レンズ１７は、望遠や広角によって種々の大きさ（例えば口径や光軸１９（図２参照）に沿う方向のレンズ長等）に合わせて交換自在であり、カメラ本体１５に取り付けられる。このため、レンズカバー１３は、カメラ本体１５に対して脱着可能となっている。
【００１６】
本実施形態では、レンズカバー１３は、交換される異種の撮像レンズ１７の大きさに応じて、撮像レンズ１７の光軸１９に沿う方向の前後に、カバー本体２３（後述参照）を自在にスライドさせるスライド機構部（後述参照）が設けられ、カメラ本体１５に取り付けられる。即ち、異種の撮像レンズ１７の大きさに拘わらず、１種のレンズカバー１３を用いることができる。なお、本明細書中、前側とは被写体側をいい、後側とはカメラ本体側をいう。また、上側とは図１の上側をいい、下側とは図１の下側をいう。
【００１７】
図２は、図１に示す監視カメラ１１の分解斜視図である。図３は、図１に示す監視カメラ１１のレンズカバー取付前の分解斜視図である。図４は、図２に示すカメラ本体１５を同図の下方より見た斜視図である。図５（Ａ）は、レンズカバー１３の上側のノッチ２１を示した斜視図である。図５（Ｂ）は、レンズカバー１３の下側のノッチ２１を示した斜視図である。図６は、図１に示すカメラ本体１５を後方側から見た背面図である。図７は、遮光部材が装着された図１に示したレンズカバー１３の斜視図である。
【００１８】
図２から図７に示すように、レンズカバー１３は、カバー本体２３と、保護ガラス２５と、遮光板２７と、遮光部材であるサイドカバー２９と、フロントオプション取付金具３１と、ワイヤ取付金具３３と、アタッチメント金具３５と、を有する。カバー本体２３は、有底角筒状に形成され、前面側となる筒底部３７に、矩形状の前面開口３９が形成される。前面開口３９には、保護ガラス２５が取り付けられる。カバー本体２３の保護ガラス２５の後方には、遮光板２７が取り付けられる。遮光板２７は、撮像レンズ１７に入射する不要な外光を遮光するもので、本実施形態を含む各実施形態では、薄いポリスチレンで成型されている。遮光板２７は、撮像レンズ１７の周縁より直径で２〜５ｍｍほど大きくても外光の遮光効果が得られるが、後述する第２の実施形態の遮光板８９のように、遮光板８９に設けられた開口径を小さくし、遮光板８９の周囲の一部又は全部に切れ込みを設けて、撓むことにより周縁に密着させることもできる（図９参照）。
【００１９】
カバー本体２３の一方の側面には、矩形状のケーブル開口４１が形成される。撮像レンズ１７には、ＡＬＣ（Auto Light Control）レンズコネクタケーブルであるレンズケーブル４３（図７参照）の一端側が接続される。レンズケーブル４３の他端側にはコネクタ４５（図１１参照）が取り付けられ、コネクタ４５はカメラ本体１５に結合される。レンズケーブル４３は、カバー本体２３のケーブル開口４１から導出されてカメラ本体１５に接続される。ケーブル開口４１には、サイドカバー２９が取り付けられる。
【００２０】
サイドカバー２９には、レンズケーブル４３を挿通するためのケーブル導出孔４７（図２参照）が形成されている。つまり、レンズケーブル４３は、ケーブル開口４１に取り付けられたサイドカバー２９のケーブル導出孔４７から導出される（図７参照）。サイドカバー２９は、カメラ本体１５に対して、前後方向にスライド自在となって取り付けられる。サイドカバー２９は、前方部分に、カバー本体２３の前方側面と重なるオーバーラップ部４９が設けられている。サイドカバー２９は、スライドされても、オーバーラップ部４９によってケーブル開口４１が露出しないようになされている。
【００２１】
また、遮光部材の一例としてのサイドカバー２９は、カバー本体２３に並置され、カバー本体２３に形成されたケーブル開口４１を閉鎖することにより、カメラ本体側となるケーブル開口４１からカバー本体２３の内部への入射光の侵入を遮光する。
【００２２】
図３に示すように、カメラ本体１５の前方上面５１には、フロントオプション取付金具３１がねじ５３（図２参照）によって固定される。このフロントオプション取付金具３１には、ワイヤ取付金具３３が共に固定される。ワイヤ取付金具３３にはワイヤ５５が接続され、ワイヤ５５はカメラ取付台（図示略）に取り付けられている。アタッチメント金具３５には、例えばへの字状に曲げられて弾性変位可能となった係合部の一例としてのノッチ係合部５７が形成されている。図４に示すように、カメラ本体１５の前方下面５９には、フロントオプション取付金具３１がねじ５３によって固定される。フロントオプション取付金具３１には、アタッチメント金具３５が共に固定される。
【００２３】
レンズカバー１３は、保護ガラス２５と反対の開口側が、カメラ本体１５の前側に被せられるようにして取り付けられる。レンズカバー１３は、ノッチ係合構造部６１（図８参照）によってカメラ本体側に対して段階的にスライドされる。ノッチ係合構造部６１は、例えば本実施形態におけるスライド機構部の一例としてのノッチ２１と、フロントオプション取付金具３１に形成されたノッチ係合部５７とを含む構成である。
【００２４】
ノッチ２１は、複数（例えば１０個程度）の小さな所定形状（例えば三角形状）の突起（刻み目）がカバー本体２３の後端より前方に向かって連なって形成されている。ノッチ２１は、カバー本体２３の図５（Ａ）に示す内部天井面６３と、図５（Ｂ）に示す内部底面６５とに設けられている。これら上下のノッチ２１は、カメラ本体１５の前方上面５１と、前方下面５９とのそれぞれに固定されたフロントオプション取付金具３１のノッチ係合部５７に図６に示すように弾接される。
【００２５】
これにより、レンズカバー１３のカバー本体２３は、例えばノッチ２１とノッチ係合部５７との係合によってクリック感を生じさせて、カメラ本体１５に対して段階的にスライドされる。撮像レンズ１７の大きさに合わせてスライド移動されたレンズカバー１３は、図５に示す底板部６７に形成されたスリット６９に挿通した固定ねじ（図示略）がカメラ本体１５に螺合されることで、カメラ本体１５にスライド規制されて固定される。
【００２６】
次に、本実施形態のレンズカバー１３の作用について、図８（Ａ）及び（Ｂ）を参照して説明する。図８（Ａ）は、レンズカバー１３が突出した時の監視カメラ１１の縦断面図である。図８（Ｂ）は、レンズカバー１３が押し込まれたときの監視カメラ１１の縦断面図である。
【００２７】
本実施形態のレンズカバー１３は、カメラ本体１５に対し、撮像レンズ１７の光軸１９に沿う方向の前後に、スライド自在に取り付けられる。カメラ本体１５は、異なるサイズ（例えば口径や光軸１９に沿う方向のレンズ長等）の撮像レンズ１７が取付可能となっている。レンズカバー１３の前面開口３９は、撮像レンズ１７を保護するための保護ガラス２５で塞がれている。
【００２８】
例えば、レンズ長が短い撮像レンズ１７の場合、図８（Ａ）に示すように、撮像レンズ１７と前面開口３９との距離が大きくなる。この場合、撮像レンズ１７に入射する撮像光７１は、前面開口縁部によって遮られることがある（ケラレ発生）。そのため、監視カメラ１１の撮像により得られた画像（以下、単に「撮像画像」という）には、前面開口縁部が映り込むことがある。この際、レンズカバー１３が、図８（Ｂ）に示すように、撮像レンズ１７に接近する方向（光軸１９に沿う方向の後方）にスライドされる。これにより、前面開口縁部によって遮られる撮像光７１がなくなる。その結果、撮像画像への前面開口縁部の映り込みの発生が抑制される。
【００２９】
また、レンズカバー１３では、レンズカバー１３のスライド調整位置が、ノッチ係合構造部６１によるクリック感等によって、明確に判別可能となる。レンズカバー１３は、このノッチ係合構造部６１によって、スライド調整位置で仮固定が可能となる。レンズカバー１３は、最適な仮固定位置となったところで、底板部６７のスリット６９に挿通した固定ねじがカメラ本体１５に螺合されることで、カメラ本体１５に本固定される。
【００３０】
また、レンズカバー１３では、レンズカバー１３に、サイドカバー２９が取り付けられる。レンズカバー１３には、例えばケーブル導出用のケーブル開口４１が形成される。このケーブル開口４１は、ケーブル導出孔４７を有したサイドカバー２９によって閉鎖される。これにより、外光がケーブル開口４１から入り、漏れ光が保護ガラス２５に反射し、映り込みの生じることが回避可能となる。撮像レンズ１７に接続されたレンズケーブル４３は、図７に示すように、サイドカバー２９に形成されるケーブル導出孔４７から一旦、外部へ導出されて、カメラ本体１５に接続される。
【００３１】
更に、サイドカバー２９は、レンズカバー１３に対してスライド自在に取り付けられている。従って、レンズカバー１３が例えばカメラ本体１５に対し前方にスライドされても、サイドカバー２９がレンズカバー１３に対して後方（図７に示す矢印の方向）にスライドされることで、ケーブル導出孔４７が常に一定の開口面積となる。これにより、監視カメラ１０は、見栄えをよくし、且つレンズカバー内方への埃等の侵入を抑制し、防塵性を向上させることができる。
【００３２】
また、レンズカバー１３の内側には、遮光板２７が設置されておりカメラ本体１５とレンズカバー１３との隙間に、レンズカバー１３に設けられたケーブル開口４１又はその後方から差し込む漏れ光が保護ガラス２５に反射して撮像レンズに入射することを防ぐ。
【００３３】
（第２の実施形態）
次に、第２の実施形態のレンズカバーについて、図面を参照して説明する。図９は、第２の実施形態の監視カメラ７３の分解斜視図である。図１０は、アダプター７５と落下防止部材の分解斜視図である。図１１は、レンズケーブル４３を接続する前の監視カメラ７３の分解斜視図である。図１２は、レンズカバー７７を取付前の分解斜視図である。なお、図１〜図８に示す部材と同一の部材には同一の符号を付し、重複する説明は省略し、異なる内容について説明する。
【００３４】
本実施形態の監視カメラ７３は、レンズカバー７７に、照明用光源が設けられる。照明用光源が設けられる仕様では、カバー本体２３にアダプター７５が取り付けられる。アダプター７５には、レンズカバー７７のカバー本体９１とカメラ本体１５とを連結し、照明用光源用のドライバ（不図示）が搭載される。レンズカバー７７は、アダプター７５を介してカメラ本体１５に取り付けられることになる。
【００３５】
即ち、レンズカバー７７は、撮像レンズ１７の光軸１９に沿う方向の前後にアダプター７５を介して、スライド自在にカメラ本体１５に取り付けられる。レンズカバー７７は、ＬＥＤカバー７９と、照明用光源の一例としてのＬＥＤユニット８１と、上下一対のヒートシンク８３と、ヒートシンク台８５と、ＬＥＤインナーカバー８７と、保護ガラス２５と、遮光板８９と、カバー本体９１と、落下防止部材の一例としての折り畳みバンド９３と、を有する。
【００３６】
ＬＥＤユニット８１は、複数のＬＥＤが横方向に並んでライン上に配置されたＬＥＤ（Light Emission Diode）光源が、上下一対に配置されてなる。これらの上下一対に配置されたライン状ＬＥＤ９５は、撮像対象に向けて照明光を出射する。照明光は、例えば赤外線が用いられる。
【００３７】
レンズカバー７７には、ＬＥＤユニット８１を光学的に撮像レンズ１７から隔離する隔離部の一例としての隔離空間９７（図１３（Ａ）及び（Ｂ）参照）がカバー本体９１に対して並置されるように備えられている。本実施形態において、隔離空間９７は、カバー本体９１とＬＥＤインナーカバー８７とによって画成され、ＬＥＤユニット８１のライン状ＬＥＤ９５を収容する。
【００３８】
アダプター７５は、アダプター本体９９と、ケーブルカバー１０１と、回路基板１０３と、フロントオプション取付金具３１と、ワイヤ取付金具３３と、アタッチメント金具１０５と、を有する。
【００３９】
ＬＥＤインナーカバー８７の前側には、ヒートシンク台８５を介してヒートシンク８３が取り付けられる。ヒートシンク８３の前側には、ＬＥＤユニット８１が取り付けられる。ＬＥＤユニット８１の取り付けられたＬＥＤインナーカバー８７は、遮光板８９を介してカバー本体９１に前方から取り付けられる。ＬＥＤインナーカバー８７には、保護ガラス２５が取り付けられる。カバー本体９１の前側にはＬＥＤカバー７９が取り付けられ、ＬＥＤカバー７９はＬＥＤインナーカバー８７に取り付けられたＬＥＤユニット８１を覆う。
【００４０】
アダプター本体９９は、環状部１０７を有する。環状部１０７の一側部には、矩形状のキャップ蓋部１０９が一体に形成される。キャップ蓋部１０９の背面には、ＬＥＤユニット駆動用の回路基板１０３が取り付けられる。キャップ蓋部１０９は、レンズケーブル４３が開口１１０に挿通し、遮光した状態でレンズケーブル４３を引き出すことができる。カバー本体９１は第１の実施形態と同じくレンズケーブル４３とカバー本体９１とが干渉しないように十分な大きさのケーブル開口４１を有するが、キャップ蓋部１０９がレンズカバー１３のケーブル開口４１より大きく、かつ、カバー本体９１が調整できる、どの位置にあっても隙間が発生せず常に遮光できるように前後方向にも大きく作られており、レンズカバー１３のケーブル開口４１から光が入射しない。言い換えれば、キャップ蓋部１０９は、第１の実施形態の遮光部材の別の構成例である。アダプター本体９９は、環状部１０７を撮像レンズ１７の外周に外挿してカメラ本体１５に固定される。カメラ本体１５に固定されるアダプター本体９９の環状部１０７には、同様にして上面にフロントオプション取付金具３１とワイヤ取付金具３３がねじ５３によって固定される。また、環状部１０７の下面には、アタッチメント金具１０５がねじ５３によって固定される。
【００４１】
アダプター７５とレンズカバー７７とは、図１０に示す折り畳みバンド９３によって連結される。折り畳みバンド９３は、樹脂材料（例えばポリスチレン樹脂）により帯状に形成される。折り畳みバンド９３は、長手方向に、複数の折曲部１１１を有している。折り畳みバンド９３は、折曲部１１１によって畳まれることで、伸縮されるように形成されている。折り畳みバンド９３は、長手方向の一端側（フランジ部１１３）がアダプター本体９９に固定され、長手方向の他端側（突起部１１５）がカバー本体９１に係止される。折り畳みバンド９３は、カメラ本体１５からのレンズカバー７７の離脱を規制する。レンズカバー７７の装着時、折り畳みバンド９３は、カバー内部に折り畳まれて収容可能となっている。折り畳みバンド９３には、一部の配線を挿通する配線挿通孔１１７が穿設されている。
【００４２】
カバー本体９１の内部天井面６３には、図５（Ａ）に示したノッチ２１と同様に、例えば本実施形態におけるスライド機構部の一例としてのノッチ２１が形成されている。ノッチ２１（図１３（Ａ）及び（Ｂ）参照）は、アダプター本体９９の環状部１０７に固定されたフロントオプション取付金具３１のノッチ係合部５７に弾接される。
【００４３】
これにより、レンズカバー７７のカバー本体９１は、例えばノッチ２１とノッチ係合部５７との係合によってクリック感を生じさせてカバー本体９１に対してスライドされる。撮像レンズ１７の大きさに合わせてスライド移動されたレンズカバー７７は、上述したレンズカバー１３と同様にして固定される。即ち、底板部６７に形成されたスリット（図示略）に挿通した固定ねじ（図示略）が、カメラ本体１５に螺合されることで、カメラ本体１５にスライド規制されて固定される。
【００４４】
カメラ本体１５の一側面には、前後方向にスライド自在となった図１１に示すスライドカバー１１９が取り付けられる。アダプター７５をカメラ本体１５に取り付けるには、先ず、図１１に示すように、スライドカバー１１９を開く。ケーブルカバー１０１を、カメラ本体１５の後方より前方へスライドさせるようにして取り付ける。このケーブルカバー１０１は、ねじ１２１によってカメラ本体１５に固定される。レンズケーブル４３のコネクタ４５を、ケーブルカバー１０１のコネクタ挿入口１２３に挿入してカメラ本体１５に接続する。次に、スライドカバー１１９を閉じる。
【００４５】
また、レンズカバー７７の内側には、第１の実施形態と同様に遮光板８９が設置されており、カメラ本体１５とレンズカバー７７との隙間に、レンズカバー７７に設けられたケーブル開口４１又はその後方から差し込む漏れ光が保護ガラス２５に反射して撮像レンズに入射することを防ぐ。
【００４６】
ＬＥＤユニット８１の設けられたレンズカバー７７を、図１２に示すように、カメラ本体１５の前方より差し込み仮固定する。この際、レンズカバー７７は、ノッチ係合構造部６１（図１３参照）によって仮固定される。レンズカバー７７の仮固定された監視カメラ７３を、天井等に固定する。監視カメラ７３は、固定の後、レンズカバー７７が取り外され、撮影方向、ズームを調整する。調整の完了後、レンズカバー７７が再びカメラ本体１５の前方より差し込まれる。この際、レンズカバー７７は、カメラ本体１５に装着されている撮像レンズ１７に応じたスライド位置に位置決めされる。
【００４７】
図１３（Ａ）は、レンズカバー７７が突出した時の監視カメラ７３の要部縦断面図である。図１３（Ｂ）は、レンズカバー７７が押し込まれたときの監視カメラ７３の要部縦断面図である。
【００４８】
レンズカバー７７は、例えばレンズ長が短い撮像レンズ１７の場合、図１３（Ａ）に示すように、撮像レンズ１７と前面開口３９との距離が大きくなる。この場合、撮像レンズ１７に入射する撮像光が、前面開口３９の縁部によって遮られる（ケラレ発生）。そのため、撮像画像に、前面開口３９の縁部が映り込むことがある。この際、レンズカバー７７が、図８（Ｂ）に示すように、撮像レンズ１７に接近する方向（光軸１９に沿う方向の後方）にスライドされる。これにより、前面開口３９の縁部によって遮られる撮像光がなくなる。その結果、撮像画像への前面開口３９の縁部の映り込みの発生が抑制される。
【００４９】
次に、本実施形態のレンズカバー７７の作用について説明する。レンズカバー７７では、カバー本体９１に、ＬＥＤユニット８１が設けられる。この際、ＬＥＤユニット８１のドライバ等を設けた回路基板１０３が、アダプター７５に搭載される。アダプター７５は、環状部１０７が、撮像レンズ１７を包囲するようにしてカメラ本体１５に固定される。アダプター７５は、カメラ本体１５とレンズカバー７７との間に配置される。
【００５０】
レンズカバー７７は、カメラ本体１５と一体に固定されたアダプター７５に対して、スライド自在に取り付けられる。レンズカバー７７は、アダプター７５に対してスライド自在に取り付けられる方が、スライドの距離が大きく確保される。これは、レンズカバー７７が、アダプター７５を挟んだ状態でカメラ本体１５に取り付けられると、アダプター７５がレンズカバー７７の内部構造に、より干渉しやすくなるためである。
【００５１】
また、レンズカバー７７では、カメラ本体１５の汎用性を確保しながら（カメラ本体１５の共通化をはかりながら）、レンズカバー７７に拡張性を付与することができる。これにより、監視カメラ１１の付加価値を容易に高めることができる。また、ＬＥＤユニット８１が赤外線である場合、監視カメラ１１に、可視光に比べて優れた透過性や分光特性を付与できる。
【００５２】
また、レンズカバー７７では、ＬＥＤユニット８１からの出射光や、その出射光がレンズカバー７７の内面に当たることによる反射光が、隔離空間９７によって遮蔽される。これにより、ＬＥＤユニット８１から被写体を経ないで撮像レンズ１７に入射する照明光を抑止できる。
【００５３】
また、レンズカバー７７では、レンズカバー７７がカメラ本体１５から脱着されても、レンズカバー７７が折り畳みバンド９３によってカメラ本体１５に支持される。これにより、レンズカバー７７をカメラ本体１５から分離することなく（即ち、取り外したレンズカバー７７の置き場所を確保することなく）、撮像レンズ１７を外部に大きく臨ませることができる。
【００５４】
また、レンズカバー７７では、レンズカバー７７のスライドに伴って、折り畳みバンド９３が所定の可撓領域で展開・折り畳まれる。これにより、折り畳みバンド９３は、配線やケーブル等の他部材に干渉しにくく（絡まなく）なる。また、折り畳みバンド９３は、配線を積極的に配線挿通孔１１７に通すことで、配線に対してより絡まりにくくなっている。
【００５５】
本実施形態の監視カメラ１１（監視カメラ７３）は、レンズカバー１３（レンズカバー７７）が、直接（又はアダプター７５を介して）カメラ本体１５に取り付けられる。
【００５６】
以上のように、監視カメラ１１、監視カメラ７３では、取り付けられた撮像レンズ１７に最適な位置に、レンズカバー１３、レンズカバー７７がスライドされて配置が可能となる。これにより、一つのレンズカバー１３、レンズカバー７７によって映り込みをなくしながら、種々の大きさの撮像レンズ１７に対応が可能となる。
【００５７】
次に、レンズカバーのスライド構造の変形例について、図１４（Ａ）〜（Ｄ）及び図１５（Ａ）〜（Ｃ）を参照して説明する。
【００５８】
レンズカバーとカメラ本体１５とは、種々の構造によるバリエーションでスライド自在に連結することができる。図１４（Ａ）は、単純円筒のスライド構造を有する変形例のレンズカバー１２５の斜視図である。図１４（Ｂ）は、ねじ構造を有する変形例のレンズカバー１２７の斜視図である。図１４（Ｃ）は、スライド孔構造を有する変形例のレンズカバー１２９の斜視図である。図１４（Ｄ）は、ピンガイド構造を有するレンズカバー１３１の斜視図である。
【００５９】
例えば、図１４（Ａ）に示す単純円筒のスライド構造を有するレンズカバー１２５は、内筒部１３３の外周に、外筒部１３５が光軸１９に沿う方向にスライド自在となる。
【００６０】
図１４（Ｂ）に示すねじ構造を有するレンズカバー１２７は、外周に雄ねじの形成された雄ねじ筒１３７に、雌ねじ筒１３９が螺合される。
【００６１】
図１４（Ｃ）に示すスライド孔構造を有するレンズカバー１２９は、本体側枠体１４１の両側部に突設したピン１４３に、枠状カバー１４５から突出させた一対のアーム板１４７のガイド孔１４９が係合される。
【００６２】
図１４（Ｄ）に示すピンガイド構造を有するレンズカバー１３１は、本体側枠体１５１の四隅から前方に突出したガイドピン１５３に、枠状カバー１５５の四隅がスライド自在に嵌合される。
【００６３】
図１５（Ａ）は、Ｖ形パンタグラフ構造を有する変形例のレンズカバー１５７の斜視図である。図１５（Ｂ）は、Ｘ形パンタグラフ構造を有する変形例のレンズカバー１５９の斜視図である。図１５（Ｃ）は、カムフォロア構造を有する変形例のレンズカバー１６１の斜視図である。
【００６４】
図１５（Ａ）に示すはＶ形パンタグラフ構造を有するレンズカバー１５７は、本体側枠体１６３と枠状カバー１６５との両側が、上下一対のへ字状リンク１６７と、Ｖ字状リンク１６９とによって接近離反自在に連結される。
【００６５】
図１５（Ｂ）に示すＸ形パンタグラフ構造を有するレンズカバー１５９は、本体側枠体１７１と枠状カバー１７３との両側が、Ｘ状リンク１７５によって接近離反自在に連結される。この場合、一対のリンク杆１７７の一方の上下端に配設した調整ねじ１７９によって、本体側枠体１７１と枠状カバー１７３との距離が調整可能となる。
【００６６】
図１５（Ｃ）に示すカムフォロア構造を有するレンズカバー１６１は、本体側枠体１８１と枠状カバー１８３とが、スライド杆１８５によってスライド自在にガイドされる。本体側枠体１８１には、回転摺動により可動する筒体１８２と一体的に係合するガイドピン１８７が上下に回転自在に設けられる。枠状カバー１８３の側部に形成した曲溝１８９にガイドピン１８７が移動自在に係合される。筒体１８２が回転することにより、ガイドピン１８７が回転し、本体側枠体１８１と枠状カバー１８３とが、ガイドピン１８７と曲溝１８９にガイドされて、接近離反自在となる。
【００６７】
従って、上述した第１及び第２の各実施形態に係るレンズカバー１３、レンズカバー７７によれば、異なる大きさの撮像レンズ１７が使用された場合であっても、撮像画像に対する映り込みを回避することができる。また、上述した第１及び第２の各実施形態の監視カメラ１１、監視カメラ７３によれば、異なる形状の複数のレンズカバーを付属品として用意する必要がなく、異なる大きさの撮像レンズ１７が使用された場合でも、撮像画像に対する映り込みを回避することができる。
【００６８】
最後に、本発明に係るレンズカバー及び監視カメラの構成、作用、効果を以下のとおり列挙する。
【００６９】
本発明の一実施形態は、撮像レンズを備えたカメラ本体に取り付けられるカバー本体、を有し、前記カバー本体には、交換される異種の前記撮像レンズの大きさに応じて、前記撮像レンズの光軸に沿う方向の前後に前記カバー本体をスライドさせるスライド機構部が設けられた、レンズカバーである。
【００７０】
このレンズカバーによれば、レンズカバーが、撮像レンズの光軸に沿う方向の前後にスライド自在となる。これにより、レンズカバーの前面開口縁部によって遮られる撮像光がなくなる。その結果、撮像画像への前面開口縁部の映り込みが解消される。
【００７１】
また、本発明の一実施形態は、前記カバー本体と前記カメラ本体とを連結し、前記スライド機構部に係合する係合部を含むアダプター、を更に有し、前記スライド機構部は、前記係合部を介して、前記カバー本体をスライドさせる、レンズカバーである。
【００７２】
このレンズカバーによれば、レンズカバーに、照明用光源が設けられる。レンズカバーは、アダプターに対して、スライド自在に取り付けられる。これにより、レンズカバーは、スライドの距離が大きく確保される。
【００７３】
また、本発明の一実施形態は、前記スライド機構部は、前記カバー本体の後端から前端に向かって形成された所定形状の複数の突起であり、前記突起と前記係合部との係合によって、前記カバー本体を前記カメラ本体に対して段階的にスライドさせる、レンズカバーである。
【００７４】
このレンズカバーによれば、レンズカバーのスライド調整位置が、スライド機構部と係合部との係合によって、明確に判別可能となる。また、レンズカバーは、このスライド機構部と係合部とを含むノッチ係合構造部によって、スライド調整位置で仮固定が可能となる。
【００７５】
また、本発明の一実施形態は、撮像対象に向けて照明光を出射する照明用光源、を更に有する、レンズカバーである。
【００７６】
このレンズカバーによれば、カメラ本体の汎用性を確保しながら（カメラ本体の共通化をはかりながら）、レンズカバーに拡張性を付与することができる。
【００７７】
また、本発明の一実施形態は、前記照明用光源を収容し、前記照明用光源を光学的に前記撮像レンズから隔離させる隔離部が前記カバー本体に並置される、レンズカバーである。
【００７８】
このレンズカバーによれば、照明用光源からの出射光や、その出射光がレンズカバーの内面に当たることによる反射光が、隔離部によって遮蔽される。
【００７９】
また、本発明の一実施形態は、前記カバー本体には、前記カメラ本体からの離脱を規制する落下防止部材が係止される、レンズカバーである。
【００８０】
このレンズカバーによれば、レンズカバーをカメラ本体から分離することなく（取り外したレンズカバーの置き場所を確保することなく）、撮像レンズを外部に大きく臨ませることができる。
【００８１】
また、本発明の一実施形態は、前記カバー本体には、前記カバー本体の内部への入射光を遮光する第１の遮光部材が、前記カバー本体のスライド方向と同一方向にスライド自在に並置される、レンズカバーである。
【００８２】
このレンズカバーによれば、大きなサイズの撮像レンズが使用された場合でも小さなサイズの撮像レンズが使用された場合でも、第１の遮光部材がカバー本体のスライド方向と同一方向にスライドするので、撮像レンズの大きさに拘わらず、外光の漏れ光がレンズカバーの後方又はカバー本体に設けられたケーブル開口から入り、保護ガラスに反射して映り込みの生じることが防止される。
【００８３】
また、本発明の一実施形態は、前記アダプターには、前記カバー本体の内部への入射光を遮光する第２の遮光部材が固定して設けられており、前記レンズカバーをスライドさせても、隙間が生じないように、前記第２の遮光部材が前記レンズカバーの開口よりも大きい、レンズカバーである。
【００８４】
このレンズカバーによれば、アダプターにはカバー本体の内部への入射光を遮光する第２の遮光部材が固定して設けられ、第２の遮光部材はレンズカバーの開口より大きいので、レンズカバーを撮像レンズに対してスライドさせてもレンズカバーの隙間が生じない。
【００８５】
また、本発明の一実施形態は、前記カバー本体には、前記撮像レンズの保護ガラスと、前記保護ガラスへの入射光を遮光する第２の遮光部材とが並置される、レンズカバーである。
【００８６】
このレンズカバーによれば、第２の遮光部材が撮像レンズの保護ガラスへの入射光を遮光するので、外光の漏れ光がレンズカバーの後方又はカバー本体に設けられたケーブル開口から入り、保護ガラスに反射して映り込みの生じることが防止される。
【００８７】
また、本発明の一実施形態は、前記落下防止部材は、可撓性を有し、前記カバー本体の内部に折り畳まれて収容される、レンズカバーである。
【００８８】
このレンズカバーによれば、落下防止部材が、配線やケーブル等の他部材に干渉しにくく（絡まなく）なる。
【００８９】
また、本発明の一実施形態は、レンズカバーが、直接又はアダプターを介して前記カメラ本体に取り付けられたことを特徴とする監視カメラである。
【００９０】
この監視カメラによれば、一つのレンズカバーによって映り込みをなくしながら、種々の大きさの撮像レンズに対応が可能となる。
【００９１】
以上、添付図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然にこの発明の技術的範囲に属するものと了解される。
【産業上の利用可能性】
【００９２】
本開示は、異なる大きさの撮像レンズが使用された場合でも、撮像により得られた画像に対する映り込みを回避するレンズカバーとして有用である。
【００９３】
また、本開示は、異なる形状のレンズカバーを付属品として用意する必要がなく、異なる大きさの撮像レンズが使用された場合でも、撮像により得られた画像に対する映り込みを回避する監視カメラとして有用である。
【符号の説明】
【００９４】
１１、７３  監視カメラ
１３、７７  レンズカバー
１５  カメラ本体
１７  撮像レンズ
１９  光軸
２１  ノッチ
２９  サイドカバー（遮光部材）
５７  ノッチ係合部
６１  ノッチ係合構造部
７５  アダプター
８１  ＬＥＤユニット（照明用光源）
９３  折り畳みバンド（落下防止部材）
９７  隔離空間
【図１】
0006429163.tif 000002
【図２】
0006429163.tif 000003
【図３】
0006429163.tif 000004
【図４】
0006429163.tif 000005
【図５】
0006429163.tif 000006
【図６】
0006429163.tif 000007
【図７】
0006429163.tif 000008
【図８】
0006429163.tif 000009
【図９】
0006429163.tif 000010
【図１０】
0006429163.tif 000011
【図１１】
0006429163.tif 000012
【図１２】
0006429163.tif 000013
【図１３】
0006429163.tif 000014
【図１４】
0006429163.tif 000015
【図１５】
0006429163.tif 000016
【図１６】
0006429163.tif 000017